(57)【要約】【課題】ソケットへ回転動作により取り付け可能であるランプホルダから半径方向に突出する当該ランプホルダの扁平な接触タブ端子と電気的に接続するための接続要素を提供すること。【解決手段】接続要素は、接触要素９と、該接触要素９を収容するための収容室を有するハウジングと、を備える。接触要素９各々は、接触部１５，１６を有する二つの接触アーム１２，１３を含む。ハウジングは、接触部１５，１６にランプの扁平な接触タブ端子と接触することを許容するために、それぞれ、収容室からハウジングの一端壁の前端面へ該一端壁を貫通して形成された開口と、接触部１５，１６にランプの扁平な接触タブ端子と接触することを許容するために、それぞれ、ハウジングの側面から収容室へ且つ一端壁を貫通して開口へと延長されたスロットと、を含む。【選択図】図６
2005216851.tif 000002
【特許請求の範囲】
【請求項１】
ランプ（２７）、特に自走車両のメインヘッドランプ、のランプホルダ（２８）から半径方向に突出し、前記ランプ（２７）の軸（２９）と平行な方向に互いから間隔を置き、且つ前記軸（２９）を横切る方向に延長する幅広い側面（３１）を有する二つの扁平な接触タブ端子（３０）、と電気的に接続するための接続要素（１，１０１）であって、
ソケット（２６）に対する前記軸（２９）を中心とした前記ランプホルダ（２８）の回転動作により前記扁平な接触タブ端子（３０）に接続可能であり、
導電性材料製の二つの接触要素（９，１０９）と、
ハウジング（２，１０２）と、
を備え、
前記接触要素（９，１０９）各々が、実質的にＵ字状に形成されるように互いに接続端（１４，１１４）の所で一体的に接続された二つの接触アーム（１２，１１２；１３，１１３）を有し、当該接触アーム（１２，１１２；１３，１１３）の非接続端部が、前記扁平な接触タブ端子（３０）の一方をその幅広い側面（３１）と接触するように挟持するための接触部（１５，１１５；１６，１１６）を形成するように、互いに対向配置されており、そして更に、
前記接触要素（９，１０９）各々が、前記接続端（１４，１１４）から離れて突出するように、前記接触アームの一方（１２，１１２）に一体的に接続された接続接触部（１７，１１７）を有し、そして、
前記ハウジング（２，１０２）が、
前端面（５，１０５）を有する一端壁（４，１０４）と、
前記前端面（５，１０５）に対して角度をもって配置された側面（６，１０６）を有する側壁と、
前記接触要素（９，１０９）がそれぞれ収容された収容室（３，１０３）と、
前記接触部（１５，１１５；１６，１１６）に前記扁平な接触タブ端子（３０）と接触することを許容するために、それぞれ、前記収容室（３，１０３）から前記前端面（５，１０５）へ前記一端壁（４，１０４）を貫通して形成された開口（７，１０７）と、
前記接触部（１５，１１５；１６，１１６）に前記扁平な接触タブ端子（３０）と接触することを許容するために、それぞれ、前記側面（６，１０６）から前記収容室（３，１０３）へ且つ前記一端壁（４，１０４）を貫通して前記開口（７，１０７）へと延長されたスロット（８，１０８）と、
を含むこと、
を特徴とする接続要素（１，１０１）。
【発明の詳細な説明】
【技術分野】
【０００１】
本発明は、ランプ、特に自走車両のメインヘッドランプ、のランプホルダ上の複数の扁平な接触タブ端子との電気接続のための接続要素であって、ソケットに対してランプの軸を中心としたランプホルダの回転動作（即ち、ピボット動作）により扁平な接触タブ端子に接続されることが可能な接続要素に関する。
【背景技術】
【０００２】
自走車両においては多くのタイプのランプが使用され、それらのランプホルダの形においても接点の配置やデザインがそれぞれ異なっている（例えば、非特許文献１参照）。
【０００３】
ランプホルダも多く開発されているが、ランプの軸を中心とした回転によりソケットに接続可能なランプホルダにおいては、扁平な接触タブ端子がランプの軸を参照してランプホルダから半径方向に突出している。
【０００４】
【非特許文献１】Ｖｉｅｗｅｇ出版社（ドイツ国）、書名「Ａｕｔｏｅｌｅｋｔｒｉｋ，Ａｕｔｏｅｌｅｋｔｒｏｎｉｋ／Ｂｏｓｃｈ」（和訳すると、「自動車電気工学および自動車電子工学／ボッシュ社」）の１９９８年第３改訂版の第２２２ページ〜第２２７ページ、第２３４ページおよび第２３５ページ
【発明の開示】
【発明が解決しようとする課題】
【０００５】
本発明は、ソケットへ回転動作により取り付け可能であるランプホルダから半径方向に突出する当該ランプホルダの扁平な接触タブ端子と電気的に接続するための接続要素を提供することを目的とする。
【課題を解決するための手段】
【０００６】
本発明の目的は、次に記載の接続要素、即ち、
ランプ、特に自走車両のメインヘッドランプ、のランプホルダから半径方向に突出し、前記ランプの軸と平行な方向に互いから間隔を置き、且つ前記軸を横切る方向に延長する幅広い側面を有する二つの扁平な接触タブ端子、と電気的に接続するための接続要素であって、
ソケットに対する前記軸を中心とした前記ランプホルダの回転動作により前記扁平な接触タブ端子に接続可能であり、
導電性材料製の二つの接触要素と、
ハウジングと、
を備え、
前記接触要素各々が、実質的にＵ字状に形成されるように互いに接続端の所で一体的に接続された二つの接触アームを有し、当該接触アームの非接続端部が、前記扁平な接触タブ端子の一方をその幅広い側面と接触するように挟持するための接触部を形成するように、互いに対向配置されており、そして更に、
前記接触要素各々が、前記接続端から離れて突出するように、前記接触アームの一方に一体的に接続された接続接触部を有し、そして、
前記ハウジングが、
前端面を有する一端壁と、
前記前端面に対して角度をもって配置された側面を有する側壁と、
前記接触要素がそれぞれ収容された収容室と、
前記接触部に前記扁平な接触タブ端子と接触することを許容するために、それぞれ、前記収容室から前記前端面へ前記一端壁を貫通して形成された開口と、
前記接触部に前記扁平な接触タブ端子と接触することを許容するために、それぞれ、前記側面から前記収容室へ且つ前記一端壁を貫通して前記開口へと延長されたスロットと、
を含むこと、
を特徴とする接続要素により達成される。
【０００７】
この実施形態の利点は、ランプの軸を中心としたランプホルダの回転動作によりソケットに対して接続され且つ、接続要素との電気接続のためにランプホルダから前記軸を横切る方向に扁平な接触タブ端子が突出するランプに係る既知の実施形態と比較して、ランプホルダの回転動作により、ランプホルダのソケットとの機械的接続が成し遂げられるのと同時に、接続要素の接触要素との扁平な接触タブ端子の電気接続が生じることである。そのランプとそのソケットとのそのような組み立ては、取り付けられたランプを交換する際に主に実行される。自走車両の生産において、ランプは、保護された様態で輸送できるように、また組み立て前にその機能（動作）を点検できるように、既に予めソケットに組み込まれた様態で、しばしば供給される。車両の組み立てにおいて、例えば、メインヘッドランプは、車両のボディに取り付けられたランプソケットに配置される形で最初は取り付けられる。本発明による解決策においては、メインヘッドランプが前述した状態にあっても、扁平な接触タブ端子それぞれとの接続要素の半径方向または接線方向の接続が可能である。
【０００８】
本発明の実施形態において、前記側面から始まる前記開口が、前記収容室への前記扁平な接触タブ端子の進入長さに対応して寸法付けされていることが好ましい。
【０００９】
本発明による解決策は種々の実施形態を可能にする。よって、前記接続接触部をケーブルの導電体への圧着接続のために形成することが可能である。これに関し、例えば圧着タブ端子を有する圧着部を設けてもよい。これは、ケーブルが、直接、接続接触部に接続され、よって、接触要素にも接続され、こうしてそれら接触要素がハウジングに収容されることを意味する。
【００１０】
しかしながら、接続接触部を接触ピンとして形成することが可能であり、従って、これら接触ピンに、ケーブル付きのメス端子として形成された接触要素を備えたコネクタが接続されることができる。この場合、好ましくは、接触ピンは扁平な接触ピンとして形成される。通常は二つの接触要素が設けられるので、扁平な接触ピンの幅広い側面が、接触アームの幅広い側面に平行に延長していると有利である。それ故、種々の配列用に扁平な接触ピンを有する接触要素を一タイプだけ製造することが必要である。
【００１１】
接続要素が、扁平な接触ピンを有する接触要素を備える場合、接続要素のハウジングがフード部を有し、そのフード部の中に接触ピンが保護された状態で突出することが好ましい。
【００１２】
ハウジングは幾つかの部品から成っていてもよい。例えば、好ましくは、ハウジングが、本体と、当該本体に取り外し可能に取り付けられた分離蓋と、を含み、上述したハウジングの一端壁が、分離蓋により形成される。これにより、ハウジングへの接触要素の組み込みが簡略化される。
【００１３】
接続要素をソケットの近くに固定できるように、ホルダに接続するための保持手段が好ましくはハウジングに設けられる。このホルダは、例えば、ソケットの一部を形成するものであってもよい。
【００１４】
扁平な接触タブ端子の接続要素への挿入を容易にするために、接触アームの接触部が、好ましくは、それらの扁平な接触タブ端子に接触する部分から始まって、横方向にスロットに向かって且つ開口に向かって互いから離れて延長する。
【００１５】
より好ましくは、接触アームの接触部が、それらの扁平な接触タブ端子に接触する部分から始まって、横方向にスロットに向かって且つスロットから離れて互いからそれる。
【発明を実施するための最良の形態】
【００１６】
先ず、図１〜図３を参照して本発明に係る接続要素の第１実施形態を説明する。
【００１７】
図１に示されるように、接続要素１はハウジング２を備え、該ハウジング２はその長手方向に延長する二つの収容室３を有する。該収容室３は当該収容室３の一方が当該収容室３の他方の上部上に設けられるように配置される。ハウジング２は、その前端に一端壁４を有し、この一端壁４には収容室３に対応して開口７が設けられている。図２に示されるように、スロット８は、収容室３に平行な長手方向に延長するようにハウジング２の側壁に形成されると共に当該側壁の側面６から収容室３内に一端壁４の前端面５に至るまで延長しており、それ故、開口７とも連通している。よって、図３に示されるように、側面６から始まり一端壁４を貫通して長さＬに渡り横方向に延長するように二つの開口部が形成される。収容室３内には、それぞれ接触要素９が配置され、当該接触要素９は、前端面５から間隔を置くハウジング２の後端から出ているケーブル１０にそれぞれ接続される。二つのケーブル１０は、ランプ、例えば自走車両のメインヘッドランプ、の電流供給の役目をする。接続要素１は、接触要素９とランプのランプホルダ上の扁平な接触タブ端子との間の電気接続をもたらす役目をする。これらは、以下で図５を参照しながら詳細に説明される。
【００１８】
接続要素１を保持するために、取り付け突部（取り付けラグ）１１がハウジング２上に設けられ、当該取り付け突部１１は、ソケットの一部を形成するか或いはソケットの近くに取り付けられるホルダのガイドに挿入可能である。
【００１９】
次に、本発明に係る接続要素の第２実施形態を以下に説明する。
【００２０】
ここで、図１〜図３に示される第１実施形態の構成部品に対応する図４に示される第２実施形態の構成部品には、第１実施形態で用いた参照番号と比較して１００だけ増加された参照番号がそれぞれ付けられる。図２および図３の描写は、ハウジング１０２のハウジング部およびそれに収容された接触要素１０９について第２実施形態を説明することにおいても同様に有効である。それ故、第２実施形態の構成部品を指し示すのに用いられる参照番号は、括弧［“（）”］内にそれぞれ挿入されると共に、対応する第１実施形態の参照番号の近傍に配置され、それにより第２実施形態の幾つかの構成部品の説明は省略或いは簡略化される。
【００２１】
図１〜図３の第１実施形態ではケーブル１０が接続要素９に直接接続されるが、図４の接続要素の実施形態１０１は、扁平なコネクタピン（即ち、接触ピン）の形で接続接触部１１７を有する接合部分を提供し、それらの扁平なコネクタピンは接触要素１０９それぞれに形成される。接続接触部１１７は相手方コネクタＧに接続できる。図４の接続要素１０１においては、実質的に図１〜図３のハウジング２に対応して形成されるハウジング部（即ち、本体）を有するハウジング１０２が設けられるが、この場合、前端面１０５を有する一端壁は分離蓋１０４で構成される。しかしながら、このハウジング部上にはフード２３が形成される。当該フード部２３は、相手方コネクタＧを挿入するために収容室２４を形成し、その中に、接触要素１０９に形成された接続接触部１１７が突出している。接触要素１０９を収容するハウジング部の構造は、図１〜図３の第１実施形態の構造に対応するため、図１〜図３の説明が参照される。
【００２２】
図５は、ランプソケット２６上に形成されたホルダ２５に取り付けられた図１〜図３の接続要素１の配置例を示す。ランプ２７は、該ランプ２７の軸２９がソケット２６の開口の中心と整列されながら、ソケット２６に挿入されることが可能である。ランプ２７にはランプホルダ２８が設けられ、該ランプホルダ２８から二つの扁平な接触タブ端子３０が軸２９を参照して半径方向に突出している。該扁平な接触タブ端子３０は軸２９と平行な方向に互いから間隔を置かれるように配置され、該扁平な接触タブ端子３０の複数の幅広い側面は複数の平行な平面を形成し、それら平面に対して軸２９が垂直に配置される。ランプ２７は、そのランプホルダ２８と共にソケット２６の開口に挿入されることができ、且つソケット２６上での機械的な保持のために軸２９を中心に回転されるとともに、扁平な接触タブ端子３０が開口７を経由してスロット８へも移動し、そしてハウジング２内の接触要素９と接触する。これを確実にするため、図３に示されるように、スロット状開口７の長さＬは、側面６から始まる前端面５に沿った、扁平な接触タブ端子３０の進入長さに対応して寸法付けされている。
【００２３】
接続要素１は取り付け突部１１によりホルダ２５上に保持される。二つの組み立て変形例が可能である。車両の元々の組み立てにも共通して使用される第１変形例では、ランプ２７がそのランプホルダ２８と共にソケット２６に予め取り付けられる。その電気接続は、例えば、ケーブル１０に接続された接続要素１がホルダ２５に半径方向または接線方向に取り付けられている状態での車両のボディへのメインヘッドランプの組み付け後、行なわれ、そしてランプ２７のランプホルダ２８はソケット２６に対して取り付け位置に保持される。そのような車両が組み立てられ、使用され、ランプ２７を交換せねばならない場合、ランプ２７はランプホルダ２８をソケット２６内で軸２９を中心に回転することによりソケット２６から取り外せ、同様に、扁平な接触タブ端子３０の電気接続に関しても、これら扁平な接触タブ端子３０が、ランプホルダ２８の回転中に接続要素１およびその中に配置された接触要素９との接触が解かれる。よって、新しいランプの取り付けは、その逆のやり方で達成される。即ち、新しいランプ２７のランプホルダ２８が軸２９に沿ってランプソケット２８に挿入され、次いで、扁平な接触タブ端子３０が開口７およびスロット８にそれぞれ係合されるように、回転され、よって接触要素９に接触でき、それにより電気接続も達成される。こうして、この実施形態は、ランプホルダ２８の回転動作によりランプソケット２６への機械的接続も接続要素１の接触要素への電気接続も同時に達成することができる。
【００２４】
図５に関連して述べたのと同じやり方で、図４の接続要素１０１の接続も生じ、その場合、相手方コネクタが既に設けられたケーブルを本発明の接続要素１０１に接続することができる。
【００２５】
一方では図１〜図３、他方では図４の二つの異なる実施形態に使用される接触要素９、１０９は、図６〜図８を参照して、以下に、より詳細に述べるが、図６は図１〜図３の接続要素１に適用可能な接触要素９の斜視図である。
【００２６】
図６に示されるように、接触要素９は第１接触アーム１２と第２接触アーム１３とを備え、これら第１接触アーム１２と第２接触アーム１３は、接続端１４から延長し且つそれらの自由端（即ち、非接続端部）の所でそれぞれ第１接触部１５と第２接触部１６とを形成する。二つの接触アーム１２，１３の接触部１５，１６はそれぞれ互いに対向して配置され且つ、それぞれ互いの間に図５の扁平な接触タブ端子３０を収容して電気的に接触する役目をする。第１接触アーム１２には中間部１８が曲げられた様態で接続され、それに接続接触部１７が圧着接続といった形で接続される。中間部１８は、ケーブル１０の導体への電気接続をもたらす役目をし、ケーブル１０の導体に対して、対を成し且つ互いに対向して配置された導体圧着タブ１９が設けられ、これがケーブル１０の導体に圧着される。更に、互いに対向して配置された二つの絶縁圧着タブ２０がＵ字状の接続接触部１７上に配置される。これら絶縁圧着タブ２０は互いの間にケーブル１０の絶縁部を収容し、ケーブル１０を保持するように該絶縁部に抗してプレスされる。
【００２７】
自由端に向かって、即ち、二つの接触アーム１２，１３の接続端１４から離れて、二つの接触部１５，１６は互いからそれる。同じことが二つの接触アーム１２，１３の延長方向を横切る方向にも当てはまる。従って、二つの接触部１５，１６それぞれには、ほぼ中央に配置された、すぼまった接触部が形成される。互いからそれる二つの接触部１５，１６の部分は挿入空間を形成し、当該挿入空間は、第１接触アーム１２と第２接触アーム１３との間への扁平な接触タブ端子３０の接続または回転挿入を容易にする役目をする。これら第１接触アーム１２と第２接触アーム１３は、扁平な接触タブ端子３０の引き続く回転挿入の間、互いから離れるように移動し、図５の扁平な接触タブ端子３０の幅広い側面３１上を摺動することができる。
【００２８】
図７と図８は、図４の接続要素１０１に適用可能な接触要素１０９を示す。この場合、第１接触アーム１１２と第２接触アーム１１３も図６の第１例のように接続端１１４の所で接続され、それぞれ第１接触部１１５と第２接触部１１６を形成する。第１接触アーム１１２に一体的に接続された中間部１１８の後には、扁平な接触ピンの形で、接続接触部１１７が続き、その幅広い側面２２は例えば第２接触アーム１１３の幅広い側面２１に平行に整列されている。その他の点で、接触アーム１１２，１１３のデザインは、図６の説明を参照する図６の第１例に対応する。ここで、図６に示される接触要素９の部分に対応する図７および図８に示される接触要素１０９の部分には、図６で用いた参照番号と比較して１００だけ増加された参照番号がそれぞれ付けられる。
【００２９】
図７の接触要素１０９は、図８に示されるように、二つの接触要素１０９の配置を可能にし、その場合扁平なコネクタピンの形の接続接触部１１７が並んで配置される。
【００３０】
上述した本発明の特徴それぞれを以下ｉ項〜ｘｉｉｉ項に簡潔に纏めて列記する。
【００３１】
ｉ・・・  ランプ（２７）のランプホルダ（２８）から半径方向に突出し、前記ランプ（２７）の軸（２９）と平行な方向に互いから間隔を置き、且つ前記軸（２９）を横切る方向に延長する幅広い側面（３１）を有する二つの扁平な接触タブ端子（３０）、と電気的に接続するための接続要素（１，１０１）であって、
ソケット（２６）に対する前記軸（２９）を中心とした前記ランプホルダ（２８）の回転動作により前記扁平な接触タブ端子（３０）に接続可能であり、
導電性材料製の二つの接触要素（９，１０９）と、
ハウジング（２，１０２）と、
を備え、
前記接触要素（９，１０９）各々が、実質的にＵ字状に形成されるように互いに接続端（１４，１１４）の所で一体的に接続された二つの接触アーム（１２，１１２；１３，１１３）を有し、当該接触アーム（１２，１１２；１３，１１３）の非接続端部が、前記扁平な接触タブ端子（３０）の一方をその幅広い側面（３１）と接触するように挟持するための接触部（１５，１１５；１６，１１６）を形成するように、互いに対向配置されており、そして更に、
前記接触要素（９，１０９）各々が、前記接続端（１４，１１４）から離れて突出するように、前記接触アームの一方（１２，１１２）に一体的に接続された接続接触部（１７，１１７）を有し、そして、
前記ハウジング（２，１０２）が、
前端面（５，１０５）を有する一端壁（４，１０４）と、
前記前端面（５，１０５）に対して角度をもって配置された側面（６，１０６）を有する側壁と、
前記接触要素（９，１０９）がそれぞれ収容された収容室（３，１０３）と、
前記収容室（３，１０３）から前記前端面（５，１０５）へ前記一端壁（４，１０４）を貫通してそれぞれ形成された開口（７，１０７）と、
前記側面（６，１０６）から前記収容室（３，１０３）へ且つ前記一端壁（４，１０４）を貫通して前記開口（７，１０７）へとそれぞれ延長されたスロット（８，１０８）と、
を含むこと、
を特徴とする接続要素（１，１０１）。
【００３２】
ｉｉ・・・  前記側面（６，１０６）から始まる前記開口（７，１０７）が、前記収容室（３，１０３）への前記扁平な接触タブ端子（３０）の進入長さに対応して寸法付けされていることを特徴とする上記ｉ項の接続要素（１，１０１）。
【００３３】
ｉｉｉ・・・  前記接続接触部（１７）が、ケーブル（１０）の導電体への圧着接続のために形成されていることを特徴とする上記ｉ項の接続要素（１，１０１）。
【００３４】
ｉｖ・・・  前記接続接触部（１１７）が、接触ピンとして形成されていることを特徴とする上記ｉ項の接続要素（１，１０１）。
【００３５】
ｖ・・・  前記接触ピン（１１７）が、扁平な接触ピンであることを特徴とする上記ｉｖ項の接続要素（１，１０１）。
【００３６】
ｖｉ・・・  前記扁平な接触ピン（１１７）の幅広い側面（２２）が、前記接触アーム（１１２，１１３）の前記幅広い側面（２１）に平行に延長していることを特徴とする上記ｖ項の接続要素（１，１０１）。
【００３７】
ｖｉｉ・・・  前記ハウジング（１０２）が、フード部（２３）を有し、当該フード部（２３）の中に前記接触ピン（１１７）が突出していることを特徴とする上記ｉｖ項の接続要素（１，１０１）。
【００３８】
ｖｉｉｉ・・・  前記ハウジング（１０２）が、本体と、当該本体に取り外し可能に取り付けられた分離蓋と、を含み、
前記一端壁（１０４）が、前記分離蓋により形成されていることを特徴とする上記ｉ項の接続要素（１，１０１）。
【００３９】
ｉｘ・・・  前記ハウジング（２，１０２）が、ホルダ（２５）への接続のための保持手段（１１，１１１）を有することを特徴とする上記ｉ項の接続要素（１，１０１）。
【００４０】
ｘ・・・  前記接触アーム（１２，１１２；１３，１１３）の前記接触部（１５，１１５；１６，１１６）が、それらの前記扁平な接触タブ端子（３０）に接触する部分から始まって、横方向に前記スロット（８，１０８）に向かって且つ前記開口（７，１０７）に向かって互いから離れて延長していることを特徴とする上記ｉ項の接続要素（１，１０１）。
【００４１】
ｘｉ・・・  前記接触アーム（１２，１１２；１３，１１３）の前記接触部（１５，１１５；１６，１１６）が、それらの前記扁平な接触タブ端子（３０）に接触する部分から始まって、横方向に前記スロット（８，１０８）に向かって且つ前記スロット（８，１０８）から離れて互いからそれることを特徴とする上記ｘ項の接続要素（１，１０１）。
【００４２】
ｘｉｉ・・・  前記ランプ（２７）は、特に自走車両のメインヘッドランプであることを特徴とする上記ｉ項〜ｘｉ項のいずれかの接続要素（１，１０１）。
【００４３】
ｘｉｉｉ・・・  前記開口（７，１０７）が、前記接触部（１５，１１５；１６，１１６）に前記扁平な接触タブ端子（３０）と接触することを許容するために、それぞれ、前記収容室（３，１０３）から前記前端面（５，１０５）へ前記一端壁（４，１０４）を貫通して形成され、そして
前記スロット（８，１０８）が、前記接触部（１５，１１５；１６，１１６）に前記扁平な接触タブ端子（３０）と接触することを許容するために、それぞれ、前記側面（６，１０６）から前記収容室（３，１０３）へ且つ前記一端壁（４，１０４）を貫通して前記開口（７，１０７）へと延長されていることを特徴とする上記ｉ項〜ｘｉｉ項のいずれかの接続要素（１，１０１）。
【図面の簡単な説明】
【００４４】
【図１】本発明に係る接続要素の第１実施形態の長手方向断面図である。
【図２】図１の接続要素の側面図である。
【図３】図２の矢印Ｘにより示される方向に接続要素の前端面を見た図である。
【図４】本発明に係る接続要素の第２実施形態の長手方向断面図である。
【図５】ランプソケットに取り付けられた図１〜図３の接続要素および当該ランプソケットに挿入可能なランプの配置例の斜視図である。
【図６】図１〜図３の接続要素にその接触要素として適用可能である接触要素の第１例の斜視図である。
【図７】図４の接続要素にその接触要素として適用可能である接触要素の第２例の斜視図である。
【図８】図７に示される方向とは異なる方向に見た図７の接続要素二つの配置の斜視図である。
【符号の説明】
【００４５】
１、１０１  接続要素
２、１０２  ハウジング
３、１０３  収容室
４、１０４  一端壁（分離蓋）
５、１０５  前端面
６、１０６  側面
７、１０７  開口
８、１０８  スロット
９、１０９  接触要素
１０  ケーブル
１１、１１１  取り付け突部（保持手段）
１２、１１２  第１接触アーム
１３、１１３  第２接触アーム
１４、１１４  接続端
１５、１１５  第１接触部
１６、１１６  第２接触部
１７、１１７  接続接触部
１８、１１８  中間部
１９  導体圧着タブ
２０  絶縁圧着タブ
２１  接触アームの幅広い側面
２２  コネクタピンの幅広い側面
２３  フード部
２４  収容室
２５  ホルダ
２６  ランプソケット（ソケット）
２７  ランプ
２８  ランプホルダ（ホルダ）
２９  軸
３０  扁平な接触タブ端子
３１  扁平な接触タブ端子の幅広い側面
Ｇ  相手方コネクタ
Ｌ  長さ
【図１】
2005216851.tif 000003
【図２】
2005216851.tif 000004
【図３】
2005216851.tif 000005
【図４】
2005216851.tif 000006
【図５】
2005216851.tif 000007
【図６】
2005216851.tif 000008
【図７】
2005216851.tif 000009
【図８】
2005216851.tif 000010